(57)【要約】  本願の実施例は同期信号伝送方法、送信側装置及び受信側装置を提供し、アンライセンス周波数帯における同期信号周波数領域候補位置（ＳＳ  ｒａｓｔｅｒと称されてもよい）を設計し、セル初期サーチの複雑性を低減するとともに、サブバンドにおける他のチャネルに対するアンライセンス周波数帯のセル初期アクセスサブバンドにおける同期信号ブロックの位置の影響を軽減することができる。該方法は、送信側装置が第１周波数領域位置において同期信号ブロックを送信し、前記第１周波数領域位置が同期信号周波数領域候補位置に位置し、２０ＭＨｚ毎のサブバンドに少なくとも１つの前記同期信号周波数領域候補位置が含まれることを含む。
2021536190.tif 000002
【特許請求の範囲】
【請求項１】
同期信号伝送方法であって、
送信側装置が第１周波数領域位置において同期信号ブロックを送信し、前記第１周波数領域位置が同期信号周波数領域候補位置に位置し、２０ＭＨｚ毎のサブバンドに少なくとも１つの前記同期信号周波数領域候補位置が含まれることを含むことを特徴とする同期信号伝送方法。
【請求項２】
前記第１周波数領域位置は前記同期信号ブロックの中心周波数点位置であることを特徴とする請求項１に記載の方法。
【請求項３】
前記方法は更に、
前記送信側装置が公式ｆｃ＝ｆ１＋（ｇ＊２０）＋ｆ２に基づいて前記同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示すことを含むことを特徴とする請求項２に記載の方法。
【請求項４】
前記第１周波数領域位置は前記同期信号ブロックにおける番号が最も小さいリソースブロック（ＲＢ）における番号が最も小さいリソースエレメント（ＲＥ）の位置であることを特徴とする請求項１に記載の方法。
【請求項５】
前記方法は更に、
前記送信側装置が公式ｆｃ＝ｆ１＋（ｇ＊２０）＋ｆ２＋ｆ３に基づいて前記同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示すことを含むことを特徴とする請求項４に記載の方法。
【請求項６】
前記方法は更に、
前記同期信号ブロックが周波数領域において２０個のＲＢを占有し、同期信号ブロックのサブキャリア間隔が３０ｋＨｚである場合、前記送信側装置が前記ｆ３＝−３６００ｋＨｚを決定すること、又は、
前記同期信号ブロックが周波数領域において２０個のＲＢを占有し、同期信号ブロックのサブキャリア間隔が１５ｋＨｚである場合、前記送信側装置が前記ｆ３＝−１８００ｋＨｚを決定することを含むことを特徴とする請求項５に記載の方法。
【請求項７】
前記第１周波数領域位置は前記同期信号ブロックにおける番号が最も大きいＲＢにおける番号が最も大きいＲＥの位置であることを特徴とする請求項１に記載の方法。
【請求項８】
前記方法は更に、
前記送信側装置が公式ｆｃ＝ｆ１＋（ｇ＊２０）＋ｆ２＋ｆ４に基づいて前記同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号の最も大きいＲＢにおける番号の最も大きいＲＥの位置のオフセットを示すことを含むことを特徴とする請求項７に記載の方法。
【請求項９】
前記方法は更に、
前記同期信号ブロックが周波数領域において２０個のＲＢを占有し、同期信号ブロックのサブキャリア間隔が３０ｋＨｚである場合、前記送信側装置が前記ｆ４＝３６００ｋＨｚを決定すること、又は、
前記同期信号ブロックが周波数領域において２０個のＲＢを占有し、同期信号ブロックのサブキャリア間隔が１５ｋＨｚである場合、前記送信側装置が前記ｆ４＝１８００ｋＨｚを決定することを含むことを特徴とする請求項８に記載の方法。
【請求項１０】
前記ｆ２の値は１８０Ｈｚ、−１８０ｋＨｚのうちの少なくとも１つであり、又は、
前記ｆ２の値は０Ｈｚ、３６０Ｈｚ及び−３６０ｋＨｚのうちの少なくとも１つであることを特徴とする請求項３、５、６、８又は９に記載の方法。
【請求項１１】
前記方法は更に、
前記送信側装置は前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを含むことを特徴とする請求項３、５、６、８又は９に記載の方法。
【請求項１２】
前記方法は更に、
前記送信側装置は前記ｆ２が公式ｆ２＝±（２５．５−（６ｎ＋１０））＊１２＊３０ｋＨｚを満足する少なくとも１つの値であることを決定し、０≦ｎ≦５であること、又は、
前記送信側装置は前記ｆ２が公式ｆ２＝±（５３−（６ｎ＋１０））＊１２＊１５ｋＨｚを満足する少なくとも１つの値であることを決定し、０≦ｎ≦１４であることを含むことを特徴とする請求項３、５、６、８、９又は１１に記載の方法。
【請求項１３】
前記方法は更に、
前記送信側装置は前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを含むことを特徴とする請求項３、５、６、８又は９に記載の方法。
【請求項１４】
前記方法は更に、
前記送信側装置は前記ｆ２が公式ｆ２＝±（２６−（６ｎ＋１０））＊１２＊３０ｋＨｚを満足する少なくとも１つの値であることを決定し、０≦ｎ≦５であること、又は、
前記送信側装置は前記ｆ２が公式ｆ２＝±（２５−（６ｎ＋１０））＊１２＊３０ｋＨｚを満足する少なくとも１つの値であることを決定し、０≦ｎ≦５であることを含むことを特徴とする請求項３、５、６、８、９又は１３に記載の方法。
【請求項１５】
前記ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、
前記ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、
前記ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、
前記ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、
前記ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つであることを特徴とする請求項３、５、６、８、９、１１、１２、１３又は１４に記載の方法。
【請求項１６】
前記送信側装置はネットワーク装置であることを特徴とする請求項１〜１５のいずれか１項に記載の方法。
【請求項１７】
同期信号伝送方法であって、
受信側装置が第１周波数領域位置において同期信号ブロックをセンシングし、前記第１周波数領域位置が同期信号周波数領域候補位置に位置し、２０ＭＨｚ毎のサブバンドに少なくとも１つの前記同期信号周波数領域候補位置が含まれることを含むことを特徴とする同期信号伝送方法。
【請求項１８】
前記第１周波数領域位置は前記同期信号ブロックの中心周波数点位置であることを特徴とする請求項１７に記載の方法。
【請求項１９】
前記方法は更に、
前記受信側装置が公式ｆｃ＝ｆ１＋（ｇ＊２０）＋ｆ２に基づいて前記同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示すことを含むことを特徴とする請求項１８に記載の方法。
【請求項２０】
前記第１周波数領域位置は前記同期信号ブロックにおける番号が最も小さいリソースブロック（ＲＢ）における番号が最も小さいリソースエレメント（ＲＥ）の位置であることを特徴とする請求項１７に記載の方法。
【請求項２１】
前記方法は更に、
前記受信側装置が公式ｆｃ＝ｆ１＋（ｇ＊２０）＋ｆ２＋ｆ３に基づいて前記同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示すことを含むことを特徴とする請求項２０に記載の方法。
【請求項２２】
前記方法は更に、
前記同期信号ブロックが周波数領域において２０個のＲＢを占有し、同期信号ブロックのサブキャリア間隔が３０ｋＨｚである場合、前記受信側装置が前記ｆ３＝−３６００ｋＨｚを決定すること、又は、
前記同期信号ブロックが周波数領域において２０個のＲＢを占有し、同期信号ブロックのサブキャリア間隔が１５ｋＨｚである場合、前記受信側装置が前記ｆ３＝−１８００ｋＨｚを決定することを含むことを特徴とする請求項２１に記載の方法。
【請求項２３】
前記第１周波数領域位置は前記同期信号ブロックにおける番号が最も大きいＲＢにおける番号が最も大きいＲＥの位置であることを特徴とする請求項１７に記載の方法。
【請求項２４】
前記方法は更に、
前記受信側装置が公式ｆｃ＝ｆ１＋（ｇ＊２０）＋ｆ２＋ｆ４に基づいて前記同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号の最も大きいＲＢにおける番号の最も大きいＲＥの位置のオフセットを示すことを含むことを特徴とする請求項２３に記載の方法。
【請求項２５】
前記方法は更に、
前記同期信号ブロックが周波数領域において２０個のＲＢを占有し、同期信号ブロックのサブキャリア間隔が３０ｋＨｚである場合、前記受信側装置が前記ｆ４＝３６００ｋＨｚを決定すること、又は、
前記同期信号ブロックが周波数領域において２０個のＲＢを占有し、同期信号ブロックのサブキャリア間隔が１５ｋＨｚである場合、前記受信側装置が前記ｆ４＝１８００ｋＨｚを決定することを含むことを特徴とする請求項２４に記載の方法。
【請求項２６】
前記ｆ２の値は１８０Ｈｚ、−１８０ｋＨｚのうちの少なくとも１つであり、又は、
前記ｆ２の値は０Ｈｚ、３６０Ｈｚ及び−３６０ｋＨｚのうちの少なくとも１つであることを特徴とする請求項１９、２１、２２、２４又は２５に記載の方法。
【請求項２７】
前記方法は更に、
前記受信側装置は前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを含むことを特徴とする請求項１９、２１、２２、２４又は２５に記載の方法。
【請求項２８】
前記方法は更に、
前記受信側装置は前記ｆ２が公式ｆ２＝±（２５．５−（６ｎ＋１０））＊１２＊３０ｋＨｚを満足する少なくとも１つの値であることを決定し、０≦ｎ≦５であること、又は、
前記受信側装置は前記ｆ２が公式ｆ２＝±（５３−（６ｎ＋１０））＊１２＊１５ｋＨｚを満足する少なくとも１つの値であることを決定し、０≦ｎ≦１４であることを含むことを特徴とする請求項１９、２１、２２、２４、２５又は２７に記載の方法。
【請求項２９】
前記方法は更に、
前記受信側装置は前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを含むことを特徴とする請求項１９、２１、２２、２４又は２５に記載の方法。
【請求項３０】
前記方法は更に、
前記受信側装置は前記ｆ２が公式ｆ２＝±（２６−（６ｎ＋１０））＊１２＊３０ｋＨｚを満足する少なくとも１つの値であることを決定し、０≦ｎ≦５であること、又は、
前記受信側装置は前記ｆ２が公式ｆ２＝±（２５−（６ｎ＋１０））＊１２＊３０ｋＨｚを満足する少なくとも１つの値であることを決定し、０≦ｎ≦５であることを含むことを特徴とする請求項１９、２１、２２、２４、２５又は２９に記載の方法。
【請求項３１】
前記ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、
前記ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、
前記ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、
前記ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、
前記ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つであることを特徴とする請求項１９、２１、２２、２４、２５、２７、２８、２９又は３０に記載の方法。
【請求項３２】
前記受信側装置が第１周波数領域位置において同期信号ブロックをセンシングすることは、
前記受信側装置がアンライセンス周波数帯においてセルサーチを行うとき、前記第１周波数領域位置において前記同期信号ブロックをセンシングすることを含むことを特徴とする請求項１７〜３１のいずれか１項に記載の方法。
【請求項３３】
前記受信側装置は端末装置であることを特徴とする請求項１７〜３２のいずれか１項に記載の方法。
【請求項３４】
送信側装置であって、通信ユニットを備え、
前記通信ユニットは第１周波数領域位置において同期信号ブロックを送信することに用いられ、前記第１周波数領域位置が同期信号周波数領域候補位置に位置し、２０ＭＨｚ毎のサブバンドに少なくとも１つの前記同期信号周波数領域候補位置が含まれることを特徴とする送信側装置。
【請求項３５】
前記第１周波数領域位置は前記同期信号ブロックの中心周波数点位置であることを特徴とする請求項３４に記載の送信側装置。
【請求項３６】
前記送信側装置は処理ユニットを更に備え、
前記処理ユニットは公式ｆｃ＝ｆ１＋（ｇ＊２０）＋ｆ２に基づいて前記同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示すことを特徴とする請求項３５に記載の送信側装置。
【請求項３７】
前記第１周波数領域位置は前記同期信号ブロックにおける番号が最も小さいリソースブロック（ＲＢ）における番号が最も小さいリソースエレメント（ＲＥ）の位置であることを特徴とする請求項３４に記載の送信側装置。
【請求項３８】
前記送信側装置は処理ユニットを更に備え、
前記処理ユニットは公式ｆｃ＝ｆ１＋（ｇ＊２０）＋ｆ２＋ｆ３に基づいて前記同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示すことを特徴とする請求項３７に記載の送信側装置。
【請求項３９】
前記処理ユニットは更に、
前記同期信号ブロックが周波数領域において２０個のＲＢを占有し、同期信号ブロックのサブキャリア間隔が３０ｋＨｚである場合、前記ｆ３＝−３６００ｋＨｚを決定すること、又は、
前記同期信号ブロックが周波数領域において２０個のＲＢを占有し、同期信号ブロックのサブキャリア間隔が１５ｋＨｚである場合、前記ｆ３＝−１８００ｋＨｚを決定することに用いられることを特徴とする請求項３８に記載の送信側装置。
【請求項４０】
前記第１周波数領域位置は前記同期信号ブロックにおける番号が最も大きいＲＢにおける番号が最も大きいＲＥの位置であることを特徴とする請求項３４に記載の送信側装置。
【請求項４１】
前記送信側装置は処理ユニットを更に備え、
前記処理ユニットは公式ｆｃ＝ｆ１＋（ｇ＊２０）＋ｆ２＋ｆ４に基づいて前記同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号の最も大きいＲＢにおける番号の最も大きいＲＥの位置のオフセットを示すことを特徴とする請求項４０に記載の送信側装置。
【請求項４２】
前記処理ユニットは更に、
前記同期信号ブロックが周波数領域において２０個のＲＢを占有し、同期信号ブロックのサブキャリア間隔が３０ｋＨｚである場合、前記ｆ４＝３６００ｋＨｚを決定すること、又は、
前記同期信号ブロックが周波数領域において２０個のＲＢを占有し、同期信号ブロックのサブキャリア間隔が１５ｋＨｚである場合、前記ｆ４＝１８００ｋＨｚを決定することに用いられることを特徴とする請求項４１に記載の送信側装置。
【請求項４３】
前記ｆ２の値は１８０Ｈｚ、−１８０ｋＨｚのうちの少なくとも１つであり、又は、
前記ｆ２の値は０Ｈｚ、３６０Ｈｚ及び−３６０ｋＨｚのうちの少なくとも１つであることを特徴とする請求項３６、３８、３９、４１又は４２に記載の送信側装置。
【請求項４４】
前記処理ユニットは更に、
前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを特徴とする請求項３６、３８、３９、４１又は４２に記載の送信側装置。
【請求項４５】
前記処理ユニットは更に、
前記ｆ２が公式ｆ２＝±（２５．５−（６ｎ＋１０））＊１２＊３０ｋＨｚを満足する少なくとも１つの値であることを決定し、０≦ｎ≦５であること、又は、
前記ｆ２が公式ｆ２＝±（５３−（６ｎ＋１０））＊１２＊１５ｋＨｚを満足する少なくとも１つの値であることを決定し、０≦ｎ≦１４であることに用いられることを特徴とする請求項３６、３８、３９、４１、４２又は４４に記載の送信側装置。
【請求項４６】
前記処理ユニットは更に、
前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを特徴とする請求項３６、３８、３９、４１又は４２に記載の送信側装置。
【請求項４７】
前記処理ユニットは更に、
前記ｆ２が公式ｆ２＝±（２６−（６ｎ＋１０））＊１２＊３０ｋＨｚを満足する少なくとも１つの値であることを決定し、０≦ｎ≦５であること、又は、
前記ｆ２が公式ｆ２＝±（２５−（６ｎ＋１０））＊１２＊３０ｋＨｚを満足する少なくとも１つの値であることを決定し、０≦ｎ≦５であることに用いられることを特徴とする請求項３６、３８、３９、４１、４２又は４６に記載の送信側装置。
【請求項４８】
前記ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、
前記ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、
前記ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、
前記ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、
前記ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つであることを特徴とする請求項３６、３８、３９、４１、４２、４４、４５、４６又は４７に記載の送信側装置。
【請求項４９】
前記送信側装置はネットワーク装置であることを特徴とする請求項３４〜４８のいずれか１項に記載の送信側装置。
【請求項５０】
受信側装置であって、通信ユニットを備え、
前記通信ユニットは第１周波数領域位置において同期信号ブロックをセンシングすることに用いられ、前記第１周波数領域位置が同期信号周波数領域候補位置に位置し、２０ＭＨｚ毎のサブバンドに少なくとも１つの前記同期信号周波数領域候補位置が含まれることを特徴とする受信側装置。
【請求項５１】
前記第１周波数領域位置は前記同期信号ブロックの中心周波数点位置であることを特徴とする請求項５０に記載の受信側装置。
【請求項５２】
前記受信側装置は処理ユニットを更に備え、
前記処理ユニットは公式ｆｃ＝ｆ１＋（ｇ＊２０）＋ｆ２に基づいて前記同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示すことを特徴とする請求項５１に記載の受信側装置。
【請求項５３】
前記第１周波数領域位置は前記同期信号ブロックにおける番号が最も小さいリソースブロック（ＲＢ）における番号が最も小さいリソースエレメント（ＲＥ）の位置であることを特徴とする請求項５０に記載の受信側装置。
【請求項５４】
前記受信側装置は処理ユニットを更に備え、
前記処理ユニットは公式ｆｃ＝ｆ１＋（ｇ＊２０）＋ｆ２＋ｆ３に基づいて前記同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示すことを特徴とする請求項５３に記載の受信側装置。
【請求項５５】
前記処理ユニットは更に、
前記同期信号ブロックが周波数領域において２０個のＲＢを占有し、同期信号ブロックのサブキャリア間隔が３０ｋＨｚである場合、前記ｆ３＝−３６００ｋＨｚを決定すること、又は、
前記同期信号ブロックが周波数領域において２０個のＲＢを占有し、同期信号ブロックのサブキャリア間隔が１５ｋＨｚである場合、前記ｆ３＝−１８００ｋＨｚを決定することに用いられることを特徴とする請求項５４に記載の受信側装置。
【請求項５６】
前記第１周波数領域位置は前記同期信号ブロックにおける番号が最も大きいＲＢにおける番号が最も大きいＲＥの位置であることを特徴とする請求項５０に記載の受信側装置。
【請求項５７】
前記受信側装置は処理ユニットを更に備え、
前記処理ユニットは公式ｆｃ＝ｆ１＋（ｇ＊２０）＋ｆ２＋ｆ４に基づいて前記同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号の最も大きいＲＢにおける番号の最も大きいＲＥの位置のオフセットを示すことを特徴とする請求項５６に記載の受信側装置。
【請求項５８】
前記処理ユニットは更に、
前記同期信号ブロックが周波数領域において２０個のＲＢを占有し、同期信号ブロックのサブキャリア間隔が３０ｋＨｚである場合、前記ｆ４＝３６００ｋＨｚを決定すること、又は、
前記同期信号ブロックが周波数領域において２０個のＲＢを占有し、同期信号ブロックのサブキャリア間隔が１５ｋＨｚである場合、前記ｆ４＝１８００ｋＨｚを決定することに用いられることを特徴とする請求項５７に記載の受信側装置。
【請求項５９】
前記ｆ２の値は１８０Ｈｚ、−１８０ｋＨｚのうちの少なくとも１つであり、又は、
前記ｆ２の値は０Ｈｚ、３６０Ｈｚ及び−３６０ｋＨｚのうちの少なくとも１つであることを特徴とする請求項５２、５４、５５、５７又は５８に記載の受信側装置。
【請求項６０】
前記処理ユニットは更に、
前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを特徴とする請求項５２、５４、５５、５７又は５８に記載の受信側装置。
【請求項６１】
前記処理ユニットは更に、
前記ｆ２が公式ｆ２＝±（２５．５−（６ｎ＋１０））＊１２＊３０ｋＨｚを満足する少なくとも１つの値であることを決定し、０≦ｎ≦５であること、又は、
前記ｆ２が公式ｆ２＝±（５３−（６ｎ＋１０））＊１２＊１５ｋＨｚを満足する少なくとも１つの値であることを決定し、０≦ｎ≦１４であることに用いられることを特徴とする請求項５２、５４、５５、５７、５８又は６０に記載の受信側装置。
【請求項６２】
前記処理ユニットは更に、
前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数であることを特徴とする請求項５２、５４、５５、５７又は５８に記載の受信側装置。
【請求項６３】
前記処理ユニットは更に、
前記ｆ２が公式ｆ２＝±（２６−（６ｎ＋１０））＊１２＊３０ｋＨｚを満足する少なくとも１つの値であることを決定し、０≦ｎ≦５であること、又は、
前記ｆ２が公式ｆ２＝±（２５−（６ｎ＋１０））＊１２＊３０ｋＨｚを満足する少なくとも１つの値であることを決定し、０≦ｎ≦５であることに用いられることを特徴とする請求項５２、５４、５５、５７、５８又は６２に記載の受信側装置。
【請求項６４】
前記ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、
前記ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、
前記ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、
前記ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、
前記ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つであることを特徴とする請求項５２、５４、５５、５７、５８、６０、６１、６２又は６３に記載の受信側装置。
【請求項６５】
前記通信ユニットは具体的に、アンライセンス周波数帯においてセルサーチを行うとき、前記第１周波数領域位置において前記同期信号ブロックをセンシングすることに用いられることを特徴とする請求項５０〜６４のいずれか１項に記載の受信側装置。
【請求項６６】
前記受信側装置は端末装置であることを特徴とする請求項５０〜６５のいずれか１項に記載の受信側装置。
【請求項６７】
送信側装置であって、プロセッサとメモリを備え、該メモリはコンピュータプログラムを記憶することに用いられ、前記プロセッサは前記メモリに記憶されるコンピュータプログラムを呼び出して実行して、請求項１〜１６のいずれか１項に記載の方法を実行することに用いられることを特徴とする送信側装置。
【請求項６８】
受信側装置であって、プロセッサとメモリを備え、該メモリはコンピュータプログラムを記憶することに用いられ、前記プロセッサは前記メモリに記憶されるコンピュータプログラムを呼び出して実行して、請求項１７〜３３のいずれか１項に記載の方法を実行することに用いられることを特徴とする受信側装置。
【請求項６９】
チップであって、メモリからコンピュータプログラムを呼び出して実行し、前記チップが取り付けられる装置に請求項１〜１６のいずれか１項に記載の方法を実行させるためのプロセッサを備えることを特徴とするチップ。
【請求項７０】
チップであって、メモリからコンピュータプログラムを呼び出して実行し、前記チップが取り付けられる装置に請求項１７〜３３のいずれか１項に記載の方法を実行させるためのプロセッサを備えることを特徴とするチップ。
【請求項７１】
コンピュータプログラムを記憶することに用いられ、前記コンピュータプログラムによってコンピュータが請求項１〜１６のいずれか１項に記載の方法を実行することを特徴とするコンピュータ可読記憶媒体。
【請求項７２】
コンピュータプログラムを記憶することに用いられ、前記コンピュータプログラムによってコンピュータが請求項１７〜３３のいずれか１項に記載の方法を実行することを特徴とするコンピュータ可読記憶媒体。
【請求項７３】
コンピュータプログラム命令を含み、該コンピュータプログラム命令によってコンピュータが請求項１〜１６のいずれか１項に記載の方法を実行することを特徴とするコンピュータプログラム製品。
【請求項７４】
コンピュータプログラム命令を含み、該コンピュータプログラム命令によってコンピュータが請求項１７〜３３のいずれか１項に記載の方法を実行することを特徴とするコンピュータプログラム製品。
【請求項７５】
コンピュータに請求項１〜１６のいずれか１項に記載の方法を実行させることを特徴とするコンピュータプログラム。
【請求項７６】
コンピュータに請求項１７〜３３のいずれか１項に記載の方法を実行させることを特徴とするコンピュータプログラム。
【発明の詳細な説明】
【技術分野】
【０００１】
本願の実施例は通信分野に関し、より具体的に、同期信号伝送方法、送信側装置及び受信側装置に関する。
【背景技術】
【０００２】
第５世代移動通信システムである新無線（５Ｇ  ＮＲ、５−Ｇｅｎｅｒａｔｉｏｎ  Ｎｅｗ  Ｒａｄｉｏ）システムにおいて、ネットワーク配置の柔軟性を満足するために、セルの構築に協力するように任意の利用可能な周波数帯範囲内にいずれもセルの同期信号を配置できるようにできる限り確保する必要がある。上記要求の駆動によって、５Ｇ  ＮＲシステムの同期ラスター（ＳＳ  ｒａｓｔｅｒ、Ｓｙｎｃｈｒｏｎｉｚａｔｉｏｎ  ｒａｓｔｅｒ）がより密集しており、これにより、基地局がセルを構築し、ＵＥがセルにアクセスするための十分な周波数点位置を提供する。
【０００３】
アンライセンス周波数帯において通信を行うとき、アンライセンス周波数帯のセル初期アクセス帯域幅が２０ＭＨｚ以下であるように制約されるとともに、アンライセンス周波数帯における各２０ＭＨｚ帯域幅の候補位置も制約される。これにより、アンライセンス周波数帯のセル初期アクセスサブバンド位置の配置が一定の制限を受ける必要がある。端末装置によるサーチのために、５Ｇ  ＮＲの定義した比較的に密集しているＳＳ  ｒａｓｔｅｒをネットワーク装置による同期信号の配置位置として用い続けば、効率が低くなる。従って、どのようにアンライセンス周波数帯のＳＳ  ｒａｓｔｅｒを設計するかは早急な解決の待たれる問題である。
【発明の概要】
【発明が解決しようとする課題】
【０００４】
本願の実施例は同期信号伝送方法、送信側装置及び受信側装置を提供し、アンライセンス周波数帯における同期信号周波数領域候補位置（ＳＳ  ｒａｓｔｅｒと称されてもよい）を設計し、セル初期サーチの複雑性を低減するとともに、サブバンドにおける他のチャネルに対するアンライセンス周波数帯のセル初期アクセスサブバンドにおける同期信号ブロック（ＳＳＢ、ＳＳ／ＰＢＣＨ  ｂｌｏｃｋ）の位置の影響を軽減することができる。
【課題を解決するための手段】
【０００５】
第１態様では同期信号伝送方法を提供し、該方法は、
送信側装置が第１周波数領域位置において同期信号ブロックを送信し、前記第１周波数領域位置が同期信号周波数領域候補位置に位置し、２０ＭＨｚ毎のサブバンドに少なくとも１つの前記同期信号周波数領域候補位置が含まれることを含む。
【０００６】
選択肢として、該第１周波数領域位置はアンライセンス周波数帯におけるリソースであってもよい。
【０００７】
なお、該送信側装置はネットワーク装置であってもよい。
【０００８】
第２態様では同期信号伝送方法を提供し、該方法は、
受信側装置が第１周波数領域位置において同期信号ブロックをセンシングし、前記第１周波数領域位置が同期信号周波数領域候補位置に位置し、２０ＭＨｚ毎のサブバンドに少なくとも１つの前記同期信号周波数領域候補位置が含まれることを含む。
【０００９】
なお、該受信側装置は端末装置であってもよい。
【００１０】
第３態様では、上記第１態様又はその各実現方式における方法を実行することに用いられる送信側装置を提供する。
【００１１】
具体的に、該送信側装置は上記第１態様又はその各実現方式における方法を実行するための機能モジュールを備える。
【００１２】
第４態様では、上記第２態様又はその各実現方式における方法を実行することに用いられる受信側装置を提供する。
【００１３】
具体的に、該受信側装置は上記第２態様又はその各実現方式における方法を実行するための機能モジュールを備える。
【００１４】
第５態様では送信側装置を提供し、プロセッサとメモリを備える。該メモリはコンピュータプログラムを記憶することに用いられ、該プロセッサは該メモリに記憶されるコンピュータプログラムを呼び出して実行して、上記第１態様又はその各実現方式における方法を実行することに用いられる。
【００１５】
第６態様では受信側装置を提供し、プロセッサとメモリを備える。該メモリはコンピュータプログラムを記憶することに用いられ、該プロセッサは該メモリに記憶されるコンピュータプログラムを呼び出して実行して、上記第２態様又はその各実現方式における方法を実行することに用いられる。
【００１６】
第７態様ではチップを提供し、上記第１態様〜第２態様のうちのいずれか１つの態様又はその各実現方式における方法を実現することに用いられる。
【００１７】
具体的に、該チップは、メモリからコンピュータプログラムを呼び出して実行し、該チップが取り付けられる装置に上記第１態様〜第２態様のうちのいずれか１つの態様又はその各実現方式における方法を実行させるためのプロセッサを備える。
【００１８】
第８態様ではコンピュータ可読記憶媒体を提供し、コンピュータプログラムを記憶することに用いられ、該コンピュータプログラムによってコンピュータが上記第１態様〜第２態様のうちのいずれか１つの態様又はその各実現方式における方法を実行する。
【００１９】
第９態様ではコンピュータプログラム製品を提供し、コンピュータプログラム命令を含み、前記コンピュータプログラム命令によってコンピュータが上記第１態様〜第２態様のうちのいずれか１つの態様又はその各実現方式における方法を実行する。
【００２０】
第１０態様ではコンピュータプログラムを提供し、該コンピュータプログラムがコンピュータにおいて実行されるとき、コンピュータが上記第１態様〜第２態様のうちのいずれか１つの態様又はその各実現方式における方法を実行する。
【発明の効果】
【００２１】
上記技術案によれば、アンライセンス周波数帯における同期信号周波数領域候補位置（ＳＳ  ｒａｓｔｅｒと称されてもよい）を設計し、セル初期サーチの複雑性を低減するとともに、サブバンドにおける他のチャネルに対するアンライセンス周波数帯のセル初期アクセスサブバンドにおける同期信号ブロックの位置の影響を軽減することができる。
【図面の簡単な説明】
【００２２】
【図１】図１は本願の実施例に係る通信システムアーキテクチャの模式図である。
【図２】図２は本願の実施例に係る同期信号伝送方法の模式的なフローチャートである。
【図３】図３は本願の実施例に係る同期信号伝送の模式図である。
【図４】図４は本願の実施例に係る他の同期信号伝送の模式図である。
【図５】図５は本願の実施例に係る更に他の同期信号伝送の模式図である。
【図６】図６は本願の実施例に係る更に他の同期信号伝送の模式図である。
【図７】図７は本願の実施例に係る更に他の同期信号伝送の模式図である。
【図８】図８は本願の実施例に係る更に他の同期信号伝送の模式図である。
【図９】図９は本願の実施例に係る更に他の同期信号伝送の模式図である。
【図１０】図１０は本願の実施例に係る他の同期信号伝送方法の模式的なフローチャートである。
【図１１】図１１は本願の実施例に係る送信側装置の模式的なブロック図である。
【図１２】図１２は本願の実施例に係る受信側装置の模式的なブロック図である。
【図１３】図１３は本願の実施例に係る通信装置の模式的なブロック図である。
【図１４】図１４は本願の実施例に係るチップの模式的なブロック図である。
【図１５】図１５は本願の実施例に係る通信システムの模式的なブロック図である。
【発明を実施するための形態】
【００２３】
以下、本願の実施例の図面を参照しながら、本願の実施例の技術案を説明する。無論、説明される実施例は本願の実施例の一部であり、実施例の全部ではない。本願の実施例に基づいて、当業者が進歩性のある労働を必要とせずに取得する他の実施例は、いずれも本願の保護範囲に属する。
【００２４】
本願の実施例は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ロングタームエボリューションアドバンスド（ＬＴＥ−Ａ、Ａｄｖａｎｃｅｄ  ｌｏｎｇ  ｔｅｒｍ  ｅｖｏｌｕｔｉｏｎ）システム、新無線（ＮＲ、Ｎｅｗ  Ｒａｄｉｏ）システム、ＮＲシステムの進化したシステム、アンライセンス周波数帯におけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、アンライセンス周波数帯におけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）、ワイヤレスフィデリティ（ＷｉＦｉ、Ｗｉｒｅｌｅｓｓ  Ｆｉｄｅｌｉｔｙ）、次世代通信システム又は他の通信システム等に適用されてもよい。
【００２５】
一般的に、従来の通信システムのサポートする接続数は限られ、実現されやすいが、通信技術の発展に伴い、移動通信システムは従来の通信をサポートするだけでなく、更に、例えば装置対装置（Ｄ２Ｄ、Ｄｅｖｉｃｅ  ｔｏ  Ｄｅｖｉｃｅ）通信、マシン対マシン（Ｍ２Ｍ、Ｍａｃｈｉｎｅ  ｔｏ  Ｍａｃｈｉｎｅ）通信、マシン通信（ＭＴＣ、Ｍａｃｈｉｎｅ  Ｔｙｐｅ  Ｃｏｍｍｕｎｉｃａｔｉｏｎ）及び車車間（Ｖ２Ｖ、Ｖｅｈｉｃｌｅ  ｔｏ  Ｖｅｈｉｃｌｅ）通信等をサポートすることとなり、本願の実施例はこれらの通信システムに適用されてもよい。
【００２６】
選択肢として、本願の実施例の通信システムはキャリアアグリゲーション（ＣＡ、Ｃａｒｒｉｅｒ  Ａｇｇｒｅｇａｔｉｏｎ）シーンに適用されてもよく、二重接続（ＤＣ、Ｄｕａｌ  Ｃｏｎｎｅｃｔｉｖｉｔｙ）シーンに適用されてもよく、スタンドアロン（ＳＡ、Ｓｔａｎｄａｌｏｎｅ）ネットワーク構築シーンに適用されてもよい。
【００２７】
本願の実施例はアンライセンス周波数帯に適用されてもよい。
【００２８】
例示的に、本願の実施例に適用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。
【００２９】
図１には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００３０】
選択肢として、該通信システム１００は更にネットワーク制御装置、モビリティ管理エンティティ等の他のネットワークエンティティを備えてもよく、本願の実施例は制限しない。
【００３１】
理解されるように、本願の実施例では、ネットワーク／システムにおける通信機能を持つ装置は通信装置と称されてもよい。図１に示される通信システム１００を例とし、通信装置は通信機能を持つネットワーク装置１１０及び端末装置１２０を含んでもよく、ネットワーク装置１１０及び端末装置１２０は前記具体的な装置であってもよく、ここで詳細な説明は省略する。通信装置は更に通信システム１００における他の装置、例えばネットワーク制御装置、モビリティ管理エンティティ等の他のネットワークエンティティを含んでもよく、本願の実施例は制限しない。
【００３２】
本願の実施例では、ネットワーク装置及び端末装置と組み合わせて各実施例を説明する。端末装置はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイス等と称されてもよい。端末装置はＷＬＡＮにおけるステーション（ＳＴ、ＳＴＡＩＯＮ）であってもよく、セルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）装置、無線通信機能を有する携帯端末、コンピューティングデバイス又は無線モデムに接続される他の処理装置、車載装置、ウェアラブルデバイス及び次世代通信システム、例えばＮＲネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおける端末装置等であってもよい。
【００３３】
例示的なものであって制限的ではないが、本願の実施例では、該端末装置は更にウェアラブルデバイスであってもよい。ウェアラブルデバイスはウェアラブルスマート装置とも称され、ウェアラブル技術を用いて日常の着用品をスマート化するように設計して開発したウェアラブル装置の総称、例えば眼鏡、手袋、腕時計、服飾及び靴等である。ウェアラブルデバイスとは、直接身につけるもの、又はユーザーの服又はアクセサリに付けられるポータブル装置である。ウェアラブルデバイスはハードウェア装置だけでなく、更にソフトウェアサポート及びデータ交換、クラウド交換によって強力な機能を実現する。広義的には、ウェアラブルスマート装置は機能が完全で、寸法が大きく、スマートフォンに依存せずに全部又は一部の機能を実現できるもの、例えばスマートウォッチ又はスマートグラス等と、あるアプリケーション機能に集中して他の装置例えばスマートフォンと組み合わせて使用する必要があるもの、例えば身体的兆候をモニタリングする様々なスマートブレスレット、スマートアクセサリ等とを含む。
【００３４】
ネットワーク装置はモバイルデバイスと通信するための装置であってもよい。ネットワーク装置はＷＬＡＮにおけるアクセスポイント（ＡＰ、Ａｃｃｅｓｓ  Ｐｏｉｎｔ）、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮＢ、ＮｏｄｅＢ）であってもよく、ＬＴＥにおける発展型基地局（ｅＮＢ又はｅＮｏｄｅＢ、Ｅｖｏｌｕｔｉｏｎａｌ  Ｎｏｄｅ  Ｂ）であってもよく、中継局又はアクセスポイント、あるいは車載装置、ウェアラブルデバイス及びＮＲネットワークにおけるネットワーク装置（ｇＮＢ）又は将来発展するＰＬＭＮネットワークにおけるネットワーク装置等であってもよい。
【００３５】
本願の実施例では、ネットワーク装置はセルにサービスを提供し、端末装置は該セルが使用する伝送リソース（例えば、周波数領域リソース又はスペクトラムリソース）によってネットワーク装置と通信する。該セルはネットワーク装置（例えば、基地局）に対応するセルであってもよく、セルはマクロ基地局に属してもよく、スモールセル（Ｓｍａｌｌ  ｃｅｌｌ）に対応する基地局に属してもよい。ここのスモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよい。これらのスモールセルはカバレッジ範囲が狭く、送信電力が低いという特徴を有し、高速度のデータ伝送サービスを提供することに適する。
【００３６】
理解されるように、５Ｇ  ＮＲにおいて、端末装置はＳＳ  ｒａｓｔｅｒにおいて同期信号をサーチすることによりセルを発見してアクセスを開始してみることができる。５Ｇ  ＮＲのＳＳ  ｒａｓｔｅｒ設計詳細は３ＧＰＰのプロトコル３８．１０１において詳しく説明されたが、例えば、６ＧＨｚ以下の同期信号周波数領域位置は表１に示される。
【００３７】
【表１】
2021536190.tif 000003
【００３８】
更に理解されるように、アンライセンス周波数帯の研究において、２０ＭＨｚ帯域幅のチャネル候補位置は限定され、具体的に公式１に示される。
【００３９】
ｆｃ＝５１６０＋（ｇ＊２０）ＭＨｚ  （公式１）
０≦ｇ≦９又は１６≦ｇ≦２７であり、ｇが整数である。
【００４０】
また、アンライセンス周波数帯の研究において、現在アンライセンス周波数帯のセル初期アクセス帯域幅が２０ＭＨｚ以下であるように更に制約される。これにより、アンライセンス周波数帯のセル初期アクセスサブバンド位置は５Ｇ  ＮＲのように随意に配置されることがない。
【００４１】
アンライセンス周波数帯の上記特徴を考慮した上で、端末装置によるサーチのために、５Ｇ  ＮＲの定義した比較的に密集しているＳＳ  ｒａｓｔｅｒをネットワーク装置による同期信号の配置位置として用い続けば、効率が低くなる。どのようにアンライセンス周波数帯のＳＳ  ｒａｓｔｅｒを改めて設計するかは新しい問題である一方、アンライセンス周波数帯のＳＳ  ｒａｓｔｅｒを改めて設計する際にどんな関連要素をまとめて考慮する必要があるかは新しい問題である。本願は上記問題を考慮した上で、アンライセンス周波数帯における同期信号の送受信位置の設計方法を提案した。
【００４２】
図２は本願の実施例に係る同期信号伝送方法２００の模式的なフローチャートである。図２に示すように、該方法２００は以下の内容を含んでもよい。
【００４３】
Ｓ２１０、送信側装置は第１周波数領域位置において同期信号ブロックを送信し、前記第１周波数領域位置は同期信号周波数領域候補位置に位置し、２０ＭＨｚ毎のサブバンドに少なくとも１つの前記同期信号周波数領域候補位置が含まれる。
【００４４】
選択肢として、該送信側装置はネットワーク装置、例えば図１に示されるネットワーク装置であってもよい。
【００４５】
なお、該同期信号周波数領域候補位置はアンライセンス周波数帯におけるＳＳ  ｒａｓｔｅｒであってもよい。
【００４６】
注意されるように、該同期信号周波数領域候補位置を設計するとき、アンライセンス周波数帯におけるＰＤＣＣＨと同期信号ブロックの周波数領域での多重化、及びＰＤＣＣＨの基本構成単位の周波数領域粒度に６つの連続するＲＢがある必要があることを考慮した上で、２０Ｍ帯域幅において同期信号ブロック位置を設計するとき、２０Ｍ帯域幅における同期信号ブロックが占有する周波数帯域幅以外の残りの部分は連続する６つのＲＢ又は６つのＲＢの整数倍であるようにできる限り確保すべきである。
【００４７】
選択肢として、本願の実施例では、該第１周波数領域位置は以下の３つの状況を満足することができる。
【００４８】
状況１
該第１周波数領域位置は該同期信号ブロックの中心周波数点位置である。
【００４９】
状況２
該第１周波数領域位置は該同期信号ブロックにおける番号が最も小さいリソースブロック（ＲＢ、Ｒｅｓｏｕｒｃｅ  Ｂｌｏｃｋ）における番号が最も小さいリソースエレメント（ＲＥ、Ｒｅｓｏｕｒｃｅ  Ｅｌｅｍｅｎｔ）の位置である。
【００５０】
状況３
該第１周波数領域位置は該同期信号ブロックにおける番号が最も大きいＲＢにおける番号が最も大きいＲＥの位置である。
【００５１】
選択肢として、例１として、該第１周波数領域位置は状況１を満足し、即ち該第１周波数領域位置は該同期信号ブロックの中心周波数点位置である。
【００５２】
選択肢として、例１では、該送信側装置は公式２に基づいて該同期信号周波数領域候補位置を決定する。
【００５３】
ｆｃ＝ｆ１＋（ｇ＊２０）＋ｆ２  公式２
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示す。
【００５４】
選択肢として、例１では、該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【００５５】
選択肢として、例１では、該送信側装置は該ｆ２が公式３、公式４、公式５及び公式６のうちのいずれか１つの公式を満足する少なくとも１つの値であることを決定する。
【００５６】
ｆ２＝±（２５．５−（６ｎ＋１０））＊１２＊３０ｋＨｚ  公式３
０≦ｎ≦５である。
【００５７】
ｆ２＝±（５３−（６ｎ＋１０））＊１２＊１５ｋＨｚ  公式４
０≦ｎ≦１４である。
【００５８】
ｆ２＝±（２６−（６ｎ＋１０））＊１２＊３０ｋＨｚ  公式５
０≦ｎ≦５である。
【００５９】
ｆ２＝±（２５−（６ｎ＋１０））＊１２＊３０ｋＨｚ  公式６
０≦ｎ≦５である。
【００６０】
なお、上記公式３は２０ＭＨｚのアンライセンス帯域幅に５１個の３０ｋＨｚのＲＢが含まれるシーンに適用され、サブキャリア間隔が３０ｋＨｚであり、５１個の３０ｋＨｚのＲＢの中心点が２５．５個の３０ｋＨｚのＲＢである。上記公式４は２０ＭＨｚのアンライセンス帯域幅に１０６個の１５ｋＨｚのＲＢが含まれるシーンに適用され、サブキャリア間隔が１５ｋＨｚであり、１０６個の１５ｋＨｚのＲＢの中心点が５３個の１５ｋＨｚのＲＢである。上記公式５は２０ＭＨｚのアンライセンス帯域幅に５１個の３０ｋＨｚのＲＢが含まれるシーンに適用され、サブキャリア間隔が３０ｋＨｚであり、５１個の３０ｋＨｚのＲＢの中心点を２６個の３０ｋＨｚのＲＢとして切り上げる。上記公式６は２０ＭＨｚのアンライセンス帯域幅に５１個の３０ｋＨｚのＲＢが含まれるシーンに適用され、サブキャリア間隔が３０ｋＨｚであり、５１個の３０ｋＨｚのＲＢの中心点を２５個の３０ｋＨｚのＲＢとして切り下げる。
【００６１】
選択肢として、例１では、該送信側装置は該ｆ２が公式７又は公式８を満足する少なくとも１つの値であることを決定する。
【００６２】
ｆ２＝±（Ｎｂｗ／２−（６ｎ＋Ｎｓｓｂ／２））＊Ｎｓｃ＊ΔＦ  ｋＨｚ  公式７
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【００６３】
ｆ２＝±（（Ｎｂｗ±１）／２−（６ｎ＋Ｎｓｓｂ／２））＊Ｎｓｃ＊ΔＦ  ｋＨｚ  公式８
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【００６４】
選択肢として、例１では、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【００６５】
選択肢として、例２として、該第１周波数領域位置は状況２を満足し、即ち該第１周波数領域位置は該同期信号ブロックにおける番号が最も小さいＲＢにおける番号が最も小さいＲＥの位置である。
【００６６】
選択肢として、例２では、該送信側装置は公式９に基づいて該同期信号周波数領域候補位置を決定する。
【００６７】
ｆｃ＝ｆ１＋（ｇ＊２０）＋ｆ２＋ｆ３  公式９
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示す。
【００６８】
選択肢として、例２では、
該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【００６９】
選択肢として、例２では、該送信側装置は該ｆ２が上記公式３、公式４、公式５及び公式６のうちのいずれか１つの公式を満足する少なくとも１つの値であることを決定する。
【００７０】
選択肢として、例２では、該送信側装置は該ｆ２が上記公式７又は公式８を満足する少なくとも１つの値であることを決定する。
【００７１】
選択肢として、例２では、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【００７２】
選択肢として、例２では、
該同期信号ブロックが周波数領域において２０個のＲＢを占有し、同期信号ブロックのサブキャリア間隔が３０ｋＨｚである場合、該送信側装置は該ｆ３＝−３６００ｋＨｚを決定し、又は、
該同期信号ブロックが周波数領域において２０個のＲＢを占有し、同期信号ブロックのサブキャリア間隔が１５ｋＨｚである場合、該送信側装置は該ｆ３＝−１８００ｋＨｚを決定する。
【００７３】
選択肢として、例３として、該第１周波数領域位置は状況３を満足し、即ち該第１周波数領域位置は該同期信号ブロックにおける番号が最も大きいＲＢにおける番号が最も大きいＲＥの位置である。
【００７４】
選択肢として、例３では、該送信側装置は公式１０に基づいて該同期信号周波数領域候補位置を決定する。
【００７５】
ｆｃ＝ｆ１＋（ｇ＊２０）＋ｆ２＋ｆ４  公式１０
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号が最も大きいＲＢにおける番号が最も大きいＲＥの位置のオフセットを示す。
【００７６】
選択肢として、例３では、
該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【００７７】
選択肢として、例３では、該送信側装置は該ｆ２が上記公式３、公式４、公式５及び公式６のうちのいずれか１つの公式を満足する少なくとも１つの値であることを決定する。
【００７８】
選択肢として、例３では、該送信側装置は該ｆ２が上記公式７又は公式８を満足する少なくとも１つの値であることを決定する。
【００７９】
選択肢として、例３では、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【００８０】
選択肢として、例３では、
該同期信号ブロックが周波数領域において２０個のＲＢを占有し、同期信号ブロックのサブキャリア間隔が３０ｋＨｚである場合、該送信側装置は該ｆ４＝３６００ｋＨｚを決定し、又は、
該同期信号ブロックが周波数領域において２０個のＲＢを占有し、同期信号ブロックのサブキャリア間隔が１５ｋＨｚである場合、該送信側装置は該ｆ４＝１８００ｋＨｚを決定する。
【００８１】
選択肢として、実施例１として、該第１周波数領域位置は該同期信号ブロックの中心周波数点位置であり、即ち該送信側装置は上記公式２に基づいて該同期信号周波数領域候補位置を決定する。
【００８２】
具体的に、図３に示すように、該実施例１では、公式２における各パラメータ値は以下のとおりである。
【００８３】
ｆ１＝５１６０ＭＨｚはアンライセンス周波数帯の１番目の２０ＭＨｚサブバンドの中心周波数点位置であり、
ｆ１＋（ｇ＊２０）はアンライセンス周波数帯のｇ＋１番目の２０ＭＨｚサブバンドの中心周波数点位置であり、ｇが整数であり、
ｆ２＝−（２５．５−（６＊３＋１０））＊１２＊３０ｋＨｚ＝９００ｋＨｚである。
【００８４】
要するに、該同期信号周波数領域候補位置はｆｃ＝５１６０．９＋（ｇ＊２０）ＭＨｚであり、ｇが整数である。
【００８５】
なお、図３に示すように、同期信号ブロックが占有する２０個の３０ｋＨｚのＲＢ以外に、１８個の３０ｋＨｚの連続するＲＢが存在する。これらの１８個の３０ｋＨｚのＲＢはＰＤＣＣＨの伝送を確保し、即ちＰＤＣＣＨと同期信号ブロックの周波数領域での多重化を実現することができる。
【００８６】
具体的に、該実施例１では、ネットワーク装置はアンライセンス周波数帯において同期信号を送信するとき、同期信号ブロックが周波数領域において２０個の３０ｋＨｚのＲＢを占有し（図３における陰影部分で示される領域を参照する）、ネットワーク装置はｆｃに対応する周波数点から１つ又は複数のものを選択して同期信号ブロックを送信し、同期信号ブロックの中心周波数点はネットワーク装置が選択した周波数点に位置する。端末装置はアンライセンス周波数帯においてセルサーチを行うとき、ｆｃに対応する周波数点において同期信号をサーチしてみる。
【００８７】
選択肢として、実施例２として、該第１周波数領域位置は該同期信号ブロックの中心周波数点位置であり、即ち該送信側装置は上記公式２に基づいて該同期信号周波数領域候補位置を決定する。
【００８８】
具体的に、図４に示すように、該実施例２では、公式２における各パラメータ値は以下のとおりである。
【００８９】
ｆ１＝５１６０ＭＨｚはアンライセンス周波数帯の１番目の２０ＭＨｚサブバンドの中心周波数点位置であり、
ｆ１＋（ｇ＊２０）はアンライセンス周波数帯のｇ＋１番目の２０ＭＨｚサブバンドの中心周波数点位置であり、ｇが整数であり、
ｆ２＝（２５．５−（６＊２＋１０））＊１２＊３０ｋＨｚ＝１２６０ｋＨｚである。
【００９０】
要するに、該同期信号周波数領域候補位置はｆｃ＝５１６１．２６＋（ｇ＊２０）ＭＨｚであり、ｇが整数である。
【００９１】
なお、図４に示すように、同期信号ブロックが占有する２０個の３０ｋＨｚのＲＢ以外に、１２個の３０ｋＨｚの連続するＲＢが存在する。これらの１２個の３０ｋＨｚのＲＢはＰＤＣＣＨの伝送を確保し、即ちＰＤＣＣＨと同期信号ブロックの周波数領域での多重化を実現することができる。
【００９２】
具体的に、該実施例２では、ネットワーク装置はアンライセンス周波数帯において同期信号を送信するとき、同期信号ブロックが周波数領域において２０個の３０ｋＨｚのＲＢを占有し（図４における陰影部分で示される領域を参照する）、ネットワーク装置はｆｃに対応する周波数点から１つ又は複数のものを選択して同期信号ブロックを送信し、同期信号ブロックの中心周波数点はネットワーク装置が選択した周波数点に位置する。端末装置はアンライセンス周波数帯においてセルサーチを行うとき、ｆｃに対応する周波数点において同期信号をサーチしてみる。
【００９３】
選択肢として、実施例３として、該第１周波数領域位置は該同期信号ブロックの中心周波数点位置であり、即ち該送信側装置は上記公式２に基づいて該同期信号周波数領域候補位置を決定する。
【００９４】
具体的に、図５に示すように、該実施例３では、公式２における各パラメータ値は以下のとおりである。
【００９５】
ｆ１＝５１６０ＭＨｚはアンライセンス周波数帯の１番目の２０ＭＨｚサブバンドの中心周波数点位置であり、
ｆ１＋（ｇ＊２０）はアンライセンス周波数帯のｇ＋１番目の２０ＭＨｚサブバンドの中心周波数点位置であり、ｇが整数であり、
ｆ２＝−１８０ｋＨｚである。
【００９６】
要するに、該同期信号周波数領域候補位置はｆｃ＝５１５９．８２＋（ｇ＊２０）ＭＨｚであり、ｇが整数である。
【００９７】
具体的に、該実施例３では、ネットワーク装置はアンライセンス周波数帯において同期信号を送信するとき、同期信号ブロックが周波数領域において２０個の３０ｋＨｚのＲＢを占有し（図５における陰影部分で示される領域を参照する）、ネットワーク装置はｆｃに対応する周波数点から１つ又は複数のものを選択して同期信号ブロックを送信し、同期信号ブロックの中心周波数点はネットワーク装置が選択した周波数点に位置する。端末装置はアンライセンス周波数帯においてセルサーチを行うとき、ｆｃに対応する周波数点において同期信号をサーチしてみる。
【００９８】
選択肢として、実施例４として、該第１周波数領域位置は該同期信号ブロックの中心周波数点位置であり、即ち該送信側装置は上記公式２に基づいて該同期信号周波数領域候補位置を決定する。
【００９９】
具体的に、図６に示すように、該実施例４では、公式２における各パラメータ値は以下のとおりである。
【０１００】
ｆ１＝５１６０ＭＨｚはアンライセンス周波数帯の１番目の２０ＭＨｚサブバンドの中心周波数点位置であり、
ｆ１＋（ｇ＊２０）はアンライセンス周波数帯のｇ＋１番目の２０ＭＨｚサブバンドの中心周波数点位置であり、ｇが整数であり、
ｆ２＝（２６−（６＊２＋１０））＊１２＊３０ｋＨｚ＝１４４０ｋＨｚである。
【０１０１】
要するに、該同期信号周波数領域候補位置はｆｃ＝５１６１．４４＋（ｇ＊２０）ＭＨｚであり、ｇが整数である。
【０１０２】
なお、図６に示すように、同期信号ブロックが占有する２０個の３０ｋＨｚのＲＢ以外に、１２個の３０ｋＨｚの連続するＲＢが存在する。これらの１２個の３０ｋＨｚのＲＢはＰＤＣＣＨの伝送を確保し、即ちＰＤＣＣＨと同期信号ブロックの周波数領域での多重化を実現することができる。
【０１０３】
具体的に、該実施例４では、ネットワーク装置はアンライセンス周波数帯において同期信号を送信するとき、同期信号ブロックが周波数領域において２０個の３０ｋＨｚのＲＢを占有し（図６における陰影部分で示される領域を参照する）、ネットワーク装置はｆｃに対応する周波数点から１つ又は複数のものを選択して同期信号ブロックを送信し、同期信号ブロックの中心周波数点はネットワーク装置が選択した周波数点に位置する。端末装置はアンライセンス周波数帯においてセルサーチを行うとき、ｆｃに対応する周波数点において同期信号をサーチしてみる。
【０１０４】
選択肢として、実施例５として、該第１周波数領域位置は該同期信号ブロックの中心周波数点位置であり、即ち該送信側装置は上記公式２に基づいて該同期信号周波数領域候補位置を決定する。
【０１０５】
具体的に、図７に示すように、該実施例５では、公式２における各パラメータ値は以下のとおりである。
【０１０６】
ｆ１＝５１６０ＭＨｚはアンライセンス周波数帯の１番目の２０ＭＨｚサブバンドの中心周波数点位置であり、
ｆ１＋（ｇ＊２０）はアンライセンス周波数帯のｇ＋１番目の２０ＭＨｚサブバンドの中心周波数点位置であり、ｇが整数であり、
ｆ２＝−（２６−（６＊３＋１０））＊１２＊３０ｋＨｚ＝７２０ｋＨｚである。
【０１０７】
要するに、該同期信号周波数領域候補位置はｆｃ＝５１６０．７２＋（ｇ＊２０）ＭＨｚであり、ｇが整数である。
【０１０８】
なお、図７に示すように、同期信号ブロックが占有する２０個の３０ｋＨｚのＲＢ以外に、１８個の３０ｋＨｚの連続するＲＢが存在する。これらの１８個の３０ｋＨｚのＲＢはＰＤＣＣＨの伝送を確保し、即ちＰＤＣＣＨと同期信号ブロックの周波数領域での多重化を実現することができる。
【０１０９】
具体的に、該実施例５では、ネットワーク装置はアンライセンス周波数帯において同期信号を送信するとき、同期信号ブロックが周波数領域において２０個の３０ｋＨｚのＲＢを占有し（図７における陰影部分で示される領域を参照する）、ネットワーク装置はｆｃに対応する周波数点から１つ又は複数のものを選択して同期信号ブロックを送信し、同期信号ブロックの中心周波数点はネットワーク装置が選択した周波数点に位置する。端末装置はアンライセンス周波数帯においてセルサーチを行うとき、ｆｃに対応する周波数点において同期信号をサーチしてみる。
【０１１０】
選択肢として、実施例６として、該第１周波数領域位置は該同期信号ブロックの中心周波数点位置であり、即ち該送信側装置は上記公式２に基づいて該同期信号周波数領域候補位置を決定する。
【０１１１】
具体的に、図８に示すように、該実施例６では、公式２における各パラメータ値は以下のとおりである。
【０１１２】
ｆ１＝５１６０ＭＨｚはアンライセンス周波数帯の１番目の２０ＭＨｚサブバンドの中心周波数点位置であり、
ｆ１＋（ｇ＊２０）はアンライセンス周波数帯のｇ＋１番目の２０ＭＨｚサブバンドの中心周波数点位置であり、ｇが整数であり、
ｆ２＝（２５−（６＊２＋１０））＊１２＊３０ｋＨｚ＝１０８０ｋＨｚである。
【０１１３】
要するに、該同期信号周波数領域候補位置はｆｃ＝５１６１．０８＋（ｇ＊２０）ＭＨｚであり、ｇが整数である。
【０１１４】
なお、図８に示すように、同期信号ブロックが占有する２０個の３０ｋＨｚのＲＢ以外に、１２個の３０ｋＨｚの連続するＲＢが存在する。これらの１２個の３０ｋＨｚのＲＢはＰＤＣＣＨの伝送を確保し、即ちＰＤＣＣＨと同期信号ブロックの周波数領域での多重化を実現することができる。
【０１１５】
具体的に、該実施例６では、ネットワーク装置はアンライセンス周波数帯において同期信号を送信するとき、同期信号ブロックが周波数領域において２０個の３０ｋＨｚのＲＢを占有し（図８における陰影部分で示される領域を参照する）、ネットワーク装置はｆｃに対応する周波数点から１つ又は複数のものを選択して同期信号ブロックを送信し、同期信号ブロックの中心周波数点はネットワーク装置が選択した周波数点に位置する。端末装置はアンライセンス周波数帯においてセルサーチを行うとき、ｆｃに対応する周波数点において同期信号をサーチしてみる。
【０１１６】
選択肢として、実施例７として、該第１周波数領域位置は該同期信号ブロックの中心周波数点位置であり、即ち該送信側装置は上記公式２に基づいて該同期信号周波数領域候補位置を決定する。
【０１１７】
具体的に、図９に示すように、該実施例７では、公式２における各パラメータ値は以下のとおりである。
【０１１８】
ｆ１＝５１６０ＭＨｚはアンライセンス周波数帯の１番目の２０ＭＨｚサブバンドの中心周波数点位置であり、
ｆ１＋（ｇ＊２０）はアンライセンス周波数帯のｇ＋１番目の２０ＭＨｚサブバンドの中心周波数点位置であり、ｇが整数であり、
ｆ２＝０ｋＨｚである。
【０１１９】
要するに、該同期信号周波数領域候補位置はｆｃ＝５１６０＋（ｇ＊２０）ＭＨｚであり、ｇが整数である。
【０１２０】
具体的に、該実施例７では、ネットワーク装置はアンライセンス周波数帯において同期信号を送信するとき、同期信号ブロックが周波数領域において２０個の３０ｋＨｚのＲＢを占有し（図９における陰影部分で示される領域を参照する）、ネットワーク装置はｆｃに対応する周波数点から１つ又は複数のものを選択して同期信号ブロックを送信し、同期信号ブロックの中心周波数点はネットワーク装置が選択した周波数点に位置する。端末装置はアンライセンス周波数帯においてセルサーチを行うとき、ｆｃに対応する周波数点において同期信号をサーチしてみる。
【０１２１】
理解されるように、上記実施例１〜実施例７は該第１周波数領域位置が該同期信号ブロックの中心周波数点位置である場合を例として説明したが、該第１周波数領域位置は該同期信号ブロックにおける番号が最も小さいＲＢにおける番号が最も小さいＲＥの位置である場合（公式９に対応する）、及び該第１周波数領域位置は該同期信号ブロックにおける番号が最も大きいＲＢにおける番号が最も大きいＲＥの位置である場合にも同様に適用される（公式１０に対応する）。簡潔のために、ここで詳細な説明は省略する。
【０１２２】
更に理解されるように、上記実施例１〜実施例７は２０ＭＨｚのアンライセンス帯域幅に５１個の３０ｋＨｚのＲＢが含まれるシーンにおいて、サブキャリア間隔が３０ｋＨｚである場合を例として説明したが、２０ＭＨｚのアンライセンス帯域幅に１０６個の１５ｋＨｚのＲＢが含まれるシーンにおいて、サブキャリア間隔が１５ｋＨｚである場合にも同様に適用される。簡潔のために、ここで詳細な説明は省略する。
【０１２３】
従って、本願の実施例では、アンライセンス周波数帯における同期信号周波数領域候補位置（ＳＳ  ｒａｓｔｅｒと称されてもよい）を設計し、セル初期サーチの複雑性を低減するとともに、サブバンドにおける他のチャネルに対するアンライセンス周波数帯のセル初期アクセスサブバンドにおける同期信号ブロックの位置の影響を軽減することができる。
【０１２４】
図１０は本願の実施例に係る同期信号伝送方法３００の模式的なフローチャートである。図１０に示すように、該方法３００は以下の内容を含んでもよい。
【０１２５】
Ｓ３１０、受信側装置は第１周波数領域位置において同期信号ブロックをセンシングし、前記第１周波数領域位置は同期信号周波数領域候補位置に位置し、２０ＭＨｚ毎のサブバンドに少なくとも１つの前記同期信号周波数領域候補位置が含まれる。
【０１２６】
選択肢として、該受信側装置は端末装置、例えば図１に示される端末装置である。
【０１２７】
選択肢として、本願の実施例では、該第１周波数領域位置は以下の３つの状況を満足することができる。
【０１２８】
状況１
該第１周波数領域位置は該同期信号ブロックの中心周波数点位置である。
【０１２９】
状況２
該第１周波数領域位置は該同期信号ブロックにおける番号が最も小さいＲＢにおける番号が最も小さいＲＥの位置である。
【０１３０】
状況３
該第１周波数領域位置は該同期信号ブロックにおける番号が最も大きいＲＢにおける番号が最も大きいＲＥの位置である。
【０１３１】
選択肢として、前記第１周波数領域位置は前記同期信号ブロックの中心周波数点位置である。
【０１３２】
選択肢として、例１として、該第１周波数領域位置は状況１を満足し、即ち該第１周波数領域位置は該同期信号ブロックの中心周波数点位置である。
【０１３３】
選択肢として、例１では、該受信側装置は公式ｆｃ＝ｆ１＋（ｇ＊２０）＋ｆ２に基づいて該同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示す。
【０１３４】
選択肢として、例１では、該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【０１３５】
選択肢として、例１では、
前記受信側装置は前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１３６】
選択肢として、例１では、
前記受信側装置は前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１３７】
選択肢として、例１では、
該受信側装置は該ｆ２が公式ｆ２＝±（２５．５−（６ｎ＋１０））＊１２＊３０ｋＨｚを満足する少なくとも１つの値であることを決定し、０≦ｎ≦５であり、又は、
該受信側装置は該ｆ２が公式ｆ２＝±（５３−（６ｎ＋１０））＊１２＊１５ｋＨｚを満足する少なくとも１つの値であることを決定し、０≦ｎ≦１４であり、又は、
該受信側装置は該ｆ２が公式ｆ２＝±（２６−（６ｎ＋１０））＊１２＊３０ｋＨｚを満足する少なくとも１つの値であることを決定し、０≦ｎ≦５であり、又は、
該受信側装置は該ｆ２が公式ｆ２＝±（２５−（６ｎ＋１０））＊１２＊３０ｋＨｚを満足する少なくとも１つの値であることを決定し、０≦ｎ≦５である。
【０１３８】
選択肢として、例１では、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【０１３９】
選択肢として、例２として、該第１周波数領域位置は状況２を満足し、即ち該第１周波数領域位置は該同期信号ブロックにおける番号が最も小さいＲＢにおける番号が最も小さいＲＥの位置である。
【０１４０】
選択肢として、例２では、該受信側装置は公式ｆｃ＝ｆ１＋（ｇ＊２０）＋ｆ２＋ｆ３に基づいて該同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示す。
【０１４１】
選択肢として、例２では、該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【０１４２】
選択肢として、例２では、
前記受信側装置は前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１４３】
選択肢として、例２では、
前記受信側装置は前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１４４】
選択肢として、例２では、
該受信側装置は該ｆ２が公式ｆ２＝±（２５．５−（６ｎ＋１０））＊１２＊３０ｋＨｚを満足する少なくとも１つの値であることを決定し、０≦ｎ≦５であり、又は、
該受信側装置は該ｆ２が公式ｆ２＝±（５３−（６ｎ＋１０））＊１２＊１５ｋＨｚを満足する少なくとも１つの値であることを決定し、０≦ｎ≦１４であり、又は、
該受信側装置は該ｆ２が公式ｆ２＝±（２６−（６ｎ＋１０））＊１２＊３０ｋＨｚを満足する少なくとも１つの値であることを決定し、０≦ｎ≦５であり、又は、
該受信側装置は該ｆ２が公式ｆ２＝±（２５−（６ｎ＋１０））＊１２＊３０ｋＨｚを満足する少なくとも１つの値であることを決定し、０≦ｎ≦５である。
【０１４５】
選択肢として、例２では、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【０１４６】
選択肢として、例２では、
前記同期信号ブロックが周波数領域において２０個のＲＢを占有し、同期信号ブロックのサブキャリア間隔が３０ｋＨｚである場合、該受信側装置は該ｆ３＝−３６００ｋＨｚを決定し、又は、
前記同期信号ブロックが周波数領域において２０個のＲＢを占有し、同期信号ブロックのサブキャリア間隔が１５ｋＨｚである場合、該受信側装置は該ｆ３＝−１８００ｋＨｚを決定する。
【０１４７】
選択肢として、例３として、該第１周波数領域位置は状況３を満足し、即ち該第１周波数領域位置は該同期信号ブロックにおける番号が最も大きいＲＢにおける番号が最も大きいＲＥの位置である。
【０１４８】
選択肢として、例３では、該受信側装置は公式ｆｃ＝ｆ１＋（ｇ＊２０）＋ｆ２＋ｆ４に基づいて該同期信号周波数領域候補位置を決定し、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号が最も大きいＲＢにおける番号が最も大きいＲＥの位置のオフセットを示す。
【０１４９】
選択肢として、例３では、
該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【０１５０】
選択肢として、例３では、
前記受信側装置は前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１５１】
選択肢として、例３では、
前記受信側装置は前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定し、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１５２】
選択肢として、例３では、
該受信側装置は該ｆ２が公式ｆ２＝±（２５．５−（６ｎ＋１０））＊１２＊３０ｋＨｚを満足する少なくとも１つの値であることを決定し、０≦ｎ≦５であり、又は、
該受信側装置は該ｆ２が公式ｆ２＝±（５３−（６ｎ＋１０））＊１２＊１５ｋＨｚを満足する少なくとも１つの値であることを決定し、０≦ｎ≦１４であり、又は、
該受信側装置は該ｆ２が公式ｆ２＝±（２６−（６ｎ＋１０））＊１２＊３０ｋＨｚを満足する少なくとも１つの値であることを決定し、０≦ｎ≦５であり、又は、
該受信側装置は該ｆ２が公式ｆ２＝±（２５−（６ｎ＋１０））＊１２＊３０ｋＨｚを満足する少なくとも１つの値であることを決定し、０≦ｎ≦５である。
【０１５３】
選択肢として、例３では、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【０１５４】
選択肢として、例３では、
前記同期信号ブロックが周波数領域において２０個のＲＢを占有し、同期信号ブロックのサブキャリア間隔が３０ｋＨｚである場合、該受信側装置は該ｆ４＝３６００ｋＨｚを決定し、又は、
前記同期信号ブロックが周波数領域において２０個のＲＢを占有し、同期信号ブロックのサブキャリア間隔が１５ｋＨｚである場合、該受信側装置は該ｆ４＝１８００ｋＨｚを決定する。
【０１５５】
理解されるように、同期信号伝送方法３００におけるステップについては同期信号伝送方法２００における対応ステップを参照してもよい。簡潔のために、ここで詳細な説明は省略する。
【０１５６】
従って、本願の実施例では、アンライセンス周波数帯における同期信号周波数領域候補位置（ＳＳ  ｒａｓｔｅｒと称されてもよい）を設計し、セル初期サーチの複雑性を低減するとともに、サブバンドにおける他のチャネルに対するアンライセンス周波数帯のセル初期アクセスサブバンドにおける同期信号ブロックの位置の影響を軽減することができる。
【０１５７】
図１１は本願の実施例に係る送信側装置４００の模式的なブロック図である。図１１に示すように、該送信側装置４００は通信ユニット４１０を備え、
前記通信ユニット４１０は第１周波数領域位置において同期信号ブロックを送信することに用いられ、該第１周波数領域位置が同期信号周波数領域候補位置に位置し、２０ＭＨｚ毎のサブバンドに少なくとも１つの該同期信号周波数領域候補位置が含まれる。
【０１５８】
選択肢として、該第１周波数領域位置は該同期信号ブロックの中心周波数点位置である。
【０１５９】
選択肢として、該送信側装置４００は処理ユニット４２０を更に備え、
前記処理ユニット４２０は公式ｆｃ＝ｆ１＋（ｇ＊２０）＋ｆ２に基づいて該同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示す。
【０１６０】
選択肢として、該第１周波数領域位置は該同期信号ブロックにおける番号が最も小さいＲＢにおける番号が最も小さいＲＥの位置である。
【０１６１】
選択肢として、該送信側装置４００は処理ユニット４２０を更に備え、
前記処理ユニット４２０は公式ｆｃ＝ｆ１＋（ｇ＊２０）＋ｆ２＋ｆ３に基づいて該同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示す。
【０１６２】
選択肢として、該処理ユニット４２０は更に、
該同期信号ブロックが周波数領域において２０個のＲＢを占有し、同期信号ブロックのサブキャリア間隔が３０ｋＨｚである場合、該ｆ３＝−３６００ｋＨｚを決定すること、又は、
該同期信号ブロックが周波数領域において２０個のＲＢを占有し、同期信号ブロックのサブキャリア間隔が１５ｋＨｚである場合、該ｆ３＝−１８００ｋＨｚを決定することに用いられる。
【０１６３】
選択肢として、該第１周波数領域位置は該同期信号ブロックにおける番号が最も大きいＲＢにおける番号が最も大きいＲＥの位置である。
【０１６４】
選択肢として、該送信側装置４００は処理ユニット４２０を更に備え、
前記処理ユニット４２０は公式ｆｃ＝ｆ１＋（ｇ＊２０）＋ｆ２＋ｆ４に基づいて該同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号が最も大きいＲＢにおける番号が最も大きいＲＥの位置のオフセットを示す。
【０１６５】
選択肢として、該処理ユニット４２０は更に、
該同期信号ブロックが周波数領域において２０個のＲＢを占有し、同期信号ブロックのサブキャリア間隔が３０ｋＨｚである場合、該ｆ４＝３６００ｋＨｚを決定すること、又は、
該同期信号ブロックが周波数領域において２０個のＲＢを占有し、同期信号ブロックのサブキャリア間隔が１５ｋＨｚである場合、該ｆ４＝１８００ｋＨｚを決定することに用いられる。
【０１６６】
選択肢として、該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【０１６７】
選択肢として、該処理ユニット４２０は更に、
前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１６８】
選択肢として、該処理ユニット４２０は更に、
前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１６９】
選択肢として、該処理ユニット４２０は更に、
該ｆ２が公式ｆ２＝±（２５．５−（６ｎ＋１０））＊１２＊３０ｋＨｚを満足する少なくとも１つの値であることを決定し、０≦ｎ≦５であること、又は、
該ｆ２が公式ｆ２＝±（５３−（６ｎ＋１０））＊１２＊１５ｋＨｚを満足する少なくとも１つの値であることを決定し、０≦ｎ≦１４であること、又は、
該ｆ２が公式ｆ２＝±（２６−（６ｎ＋１０））＊１２＊３０ｋＨｚを満足する少なくとも１つの値であることを決定し、０≦ｎ≦５であること、又は、
該ｆ２が公式ｆ２＝±（２５−（６ｎ＋１０））＊１２＊３０ｋＨｚを満足する少なくとも１つの値であることを決定し、０≦ｎ≦５であることに用いられる。
【０１７０】
選択肢として、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、
該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、
該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、
該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、
該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【０１７１】
選択肢として、該送信側装置４００はネットワーク装置である。
【０１７２】
理解されるように、本願の実施例に係る送信側装置４００は本願の方法実施例の送信側装置に対応してもよく、且つ送信側装置４００の各ユニットの上記及び他の操作及び／又は機能はそれぞれ図２における方法２００における送信側装置の対応プロセスを実現するためのものである。簡潔のために、ここで詳細な説明は省略する。
【０１７３】
図１２は本願の実施例に係る受信側装置５００の模式的なブロック図である。図１２に示すように、該受信側装置５００は通信ユニット５１０を備え、
前記通信ユニット５１０は第１周波数領域位置において同期信号ブロックをセンシングすることに用いられ、該第１周波数領域位置が同期信号周波数領域候補位置に位置し、２０ＭＨｚ毎のサブバンドに少なくとも１つの該同期信号周波数領域候補位置が含まれる。
【０１７４】
選択肢として、該第１周波数領域位置は該同期信号ブロックの中心周波数点位置である。
【０１７５】
選択肢として、該受信側装置５００は処理ユニット５２０を更に備え、
前記処理ユニット５２０は公式ｆｃ＝ｆ１＋（ｇ＊２０）＋ｆ２に基づいて該同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示す。
【０１７６】
選択肢として、該第１周波数領域位置は該同期信号ブロックにおける番号が最も小さいリソースブロック（ＲＢ）における番号が最も小さいリソースエレメント（ＲＥ）の位置である。
【０１７７】
選択肢として、該受信側装置５００は処理ユニット５２０を更に備え、
前記処理ユニット５２０は公式ｆｃ＝ｆ１＋（ｇ＊２０）＋ｆ２＋ｆ３に基づいて該同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ３が同期信号ブロックの中心周波数点位置に対する同期信号ブロックにおける番号の最も小さいＲＢにおける番号の最も小さいＲＥの位置のオフセットを示す。
【０１７８】
選択肢として、該処理ユニット５２０は更に、
該同期信号ブロックが周波数領域において２０個のＲＢを占有し、同期信号ブロックのサブキャリア間隔が３０ｋＨｚである場合、該ｆ３＝−３６００ｋＨｚを決定すること、又は、
該同期信号ブロックが周波数領域において２０個のＲＢを占有し、同期信号ブロックのサブキャリア間隔が１５ｋＨｚである場合、該ｆ３＝−１８００ｋＨｚを決定することに用いられる。
【０１７９】
選択肢として、該第１周波数領域位置は該同期信号ブロックにおける番号が最も大きいＲＢにおける番号が最も大きいＲＥの位置である。
【０１８０】
選択肢として、該受信側装置５００は処理ユニット５２０を更に備え、
前記処理ユニット５２０は公式ｆｃ＝ｆ１＋（ｇ＊２０）＋ｆ２＋ｆ４に基づいて該同期信号周波数領域候補位置を決定することに用いられ、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示し、
ｆ４が同期信号ブロックの中心周波数点位置に対する同期信号ブロックにおける番号が最も大きいＲＢにおける番号が最も大きいＲＥの位置のオフセットを示す。
【０１８１】
選択肢として、該処理ユニット５２０は更に、
該同期信号ブロックが周波数領域において２０個のＲＢを占有し、同期信号ブロックのサブキャリア間隔が３０ｋＨｚである場合、該ｆ４＝３６００ｋＨｚを決定すること、又は、
該同期信号ブロックが周波数領域において２０個のＲＢを占有し、同期信号ブロックのサブキャリア間隔が１５ｋＨｚである場合、該ｆ４＝１８００ｋＨｚを決定することに用いられる。
【０１８２】
選択肢として、該ｆ２の値は１８０Ｈｚ、−１８０ｋＨｚのうちの少なくとも１つであり、又は、
該ｆ２の値は０Ｈｚ、３６０Ｈｚ及び−３６０ｋＨｚのうちの少なくとも１つである。
【０１８３】
選択肢として、該処理ユニット５２０は更に、
前記ｆ２が公式ｆ２＝±（Ｎｂｗ／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１８４】
選択肢として、該処理ユニット５２０は更に、
前記ｆ２が公式ｆ２＝±（（Ｎｂｗ±１）／２−（６ｎ＋Ｎｓｓｂ／２））＊Ｎｓｃ＊ΔＦ  ｋＨｚを満足する少なくとも１つの値であることを決定することに用いられ、
Ｎｂｗはサブキャリア間隔がΔＦである場合の２０ＭＨｚ帯域幅内のＲＢ個数を示し、Ｎｓｓｂは周波数領域における同期信号ブロックが占有するＲＢ個数を示し、Ｎｓｃは１つのＲＢ内のサブキャリア個数を示し、ｎが整数である。
【０１８５】
選択肢として、該処理ユニット５２０は更に、
該ｆ２が公式ｆ２＝±（２５．５−（６ｎ＋１０））＊１２＊３０ｋＨｚを満足する少なくとも１つの値であることを決定し、０≦ｎ≦５であること、又は、
該ｆ２が公式ｆ２＝±（５３−（６ｎ＋１０））＊１２＊１５ｋＨｚを満足する少なくとも１つの値であることを決定し、０≦ｎ≦１４であることに用いられ、又は、
該受信側装置は、該ｆ２が公式ｆ２＝±（２６−（６ｎ＋１０））＊１２＊３０ｋＨｚを満足する少なくとも１つの値であることを決定し、０≦ｎ≦５であり、又は、
該ｆ２が公式ｆ２＝±（２５−（６ｎ＋１０））＊１２＊３０ｋＨｚを満足する少なくとも１つの値であることを決定し、０≦ｎ≦５である。
【０１８６】
選択肢として、該ｆ２の値は５５８０ｋＨｚ、３４２０ｋＨｚ、１２６０ｋＨｚ、−９００ｋＨｚ、−３０６０ｋＨｚ及び−５２２０ｋＨｚのうちの少なくとも１つであり、又は、
該ｆ２の値は５２２０ｋＨｚ、３０６０ｋＨｚ、９００ｋＨｚ、−１２６０ｋＨｚ、−３４２０ｋＨｚ及び−５５８０ｋＨｚのうちの少なくとも１つであり、又は、
該ｆ２の値は５７６０ｋＨｚ、３６００ｋＨｚ、１４４０ｋＨｚ、−７２０ｋＨｚ、−２８８０ｋＨｚ及び−５０４０ｋＨｚのうちの少なくとも１つであり、又は、
該ｆ２の値は５０４０ｋＨｚ、２８８０ｋＨｚ、７２０ｋＨｚ、−１４４０ｋＨｚ、−３６００ｋＨｚ及び−５７６０ｋＨｚのうちの少なくとも１つであり、又は、
該ｆ２の値は５４００ｋＨｚ、３２４０ｋＨｚ、１０８０ｋＨｚ、−１０８０ｋＨｚ、−３２４０ｋＨｚ及び−５４００ｋＨｚのうちの少なくとも１つである。
【０１８７】
選択肢として、該通信ユニット５１０は具体的に、
アンライセンス周波数帯においてセルサーチを行うとき、該第１周波数領域位置において該同期信号ブロックをセンシングすることに用いられる。
【０１８８】
選択肢として、該受信側装置５００は端末装置である。
【０１８９】
理解されるように、本願の実施例に係る受信側装置５００は本願の方法実施例の受信側装置に対応してもよく、且つ受信側装置５００の各ユニットの上記及び他の操作及び／又は機能はそれぞれ図１０における方法３００における受信側装置の対応プロセスを実現するためのものである。簡潔のために、ここで詳細な説明は省略する。
【０１９０】
図１３は本願の実施例に係る通信装置６００の構造模式図である。図１３に示される通信装置６００はプロセッサ６１０を備え、プロセッサ６１０はメモリからコンピュータプログラムを呼び出して実行して、本願の実施例の方法を実現することができる。
【０１９１】
選択肢として、図１３に示すように、通信装置６００は更にメモリ６２０を備えてもよい。プロセッサ６１０はメモリ６２０からコンピュータプログラムを呼び出して実行して、本願の実施例の方法を実現することができる。
【０１９２】
メモリ６２０はプロセッサ６１０から独立した１つの独立したデバイスであってもよく、プロセッサ６１０に統合されてもよい。
【０１９３】
選択肢として、図１３に示すように、通信装置６００は更に送受信機６３０を備えてもよい。プロセッサ６１０は該送受信機６３０と他の装置との通信を制御することができ、具体的に、他の装置に情報又はデータを送信し、又は他の装置から送信された情報又はデータを受信することができる。
【０１９４】
送受信機６３０は送信機と受信機を備えてもよい。送受信機６３０は更にアンテナを備えてもよく、アンテナの数が１つ又は複数であってもよい。
【０１９５】
選択肢として、該通信装置６００は具体的に本願の実施例の送信側装置であってもよく、且つ該通信装置６００は本願の実施例の各方法における送信側装置の実現する対応プロセスを実現することができる。簡潔のために、ここで詳細な説明は省略する。
【０１９６】
選択肢として、該通信装置６００は具体的に本願の実施例の受信側装置であってもよく、且つ該通信装置６００は本願の実施例の各方法における受信側装置の実現する対応プロセスを実現することができる。簡潔のために、ここで詳細な説明は省略する。
【０１９７】
図１４は本願の実施例のチップの構造模式図である。図１４に示されるチップ７００はプロセッサ７１０を備え、プロセッサ７１０はメモリからコンピュータプログラムを呼び出して実行して、本願の実施例の方法を実現することができる。
【０１９８】
選択肢として、図１４に示すように、チップ７００は更にメモリ７２０を備えてもよい。プロセッサ７１０はメモリ７２０からコンピュータプログラムを呼び出して実行して、本願の実施例の方法を実現することができる。
【０１９９】
メモリ７２０はプロセッサ７１０から独立した１つの独立したデバイスであってもよく、プロセッサ７１０に統合されてもよい。
【０２００】
選択肢として、該チップ７００は更に入力インターフェース７３０を備えてもよい。プロセッサ７１０は該入力インターフェース７３０と他の装置又はチップとの通信を制御することができ、具体的に、他の装置又はチップから送信された情報又はデータを取得することができる。
【０２０１】
選択肢として、該チップ７００は更に出力インターフェース７４０を備えてもよい。プロセッサ７１０は該出力インターフェース７４０と他の装置又はチップとの通信を制御することができ、具体的に、他の装置又はチップに情報又はデータを出力することができる。
【０２０２】
選択肢として、該チップは本願の実施例の送信側装置に適用されてもよく、且つ該チップは本願の実施例の各方法における送信側装置の実現する対応プロセスを実現することができる。簡潔のために、ここで詳細な説明は省略する。
【０２０３】
選択肢として、該チップは本願の実施例の受信側装置に適用されてもよく、且つ該チップは本願の実施例の各方法における受信側装置の実現する対応プロセスを実現することができる。簡潔のために、ここで詳細な説明は省略する。
【０２０４】
理解されるように、本願の実施例に言及したチップは更にシステムレベルチップ、システムチップ、チップシステム又はシステムオンチップ等と称されてもよい。
【０２０５】
図１５は本願の実施例に係る通信システム８００の模式的なブロック図である。図１５に示すように、該通信システム８００は送信側装置８１０と受信側装置８２０を備える。
【０２０６】
該送信側装置８１０は上記方法における送信側装置の実現する対応機能を実現することに用いられてもよく、該受信側装置８２０は上記方法における受信側装置の実現する対応機能を実現することに用いられてもよい。簡潔のために、ここで詳細な説明は省略する。
【０２０７】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０２０８】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。注意されるように、本明細書に説明されるシステム及び方法のメモリはこれらのメモリ及び任意の他の適切なタイプのメモリを含むが、それらに限らないように意図されるものである。
【０２０９】
理解されるように、上記メモリは例示的な説明であって制限的ではない。例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。即ち、本願の実施例のメモリはこれらのメモリ及び任意の他の適切なタイプのメモリを含むが、それらに限らないように意図されるものである。
【０２１０】
本願の実施例はコンピュータプログラムを記憶することに用いられるコンピュータ可読記憶媒体を更に提供する。
【０２１１】
選択肢として、該コンピュータ可読記憶媒体は本願の実施例の送信側装置に適用されてもよく、且つ該コンピュータプログラムによってコンピュータは本願の実施例の各方法における送信側装置の実現する対応プロセスを実行する。簡潔のために、ここで詳細な説明は省略する。
【０２１２】
選択肢として、該コンピュータ可読記憶媒体は本願の実施例の受信側装置に適用されてもよく、且つ該コンピュータプログラムによってコンピュータは本願の実施例の各方法における受信側装置の実現する対応プロセスを実行する。簡潔のために、ここで詳細な説明は省略する。
【０２１３】
本願の実施例はコンピュータプログラム命令を含むコンピュータプログラム製品を更に提供する。
【０２１４】
選択肢として、該コンピュータプログラム製品は本願の実施例の送信側装置に適用されてもよく、且つ該コンピュータプログラム命令によってコンピュータは本願の実施例の各方法における送信側装置の実現する対応プロセスを実行する。簡潔のために、ここで詳細な説明は省略する。
【０２１５】
選択肢として、該コンピュータプログラム製品は本願の実施例の受信側装置に適用されてもよく、且つ該コンピュータプログラム命令によってコンピュータは本願の実施例の各方法における受信側装置の実現する対応プロセスを実行する。簡潔のために、ここで詳細な説明は省略する。
【０２１６】
本願の実施例はコンピュータプログラムを更に提供する。
【０２１７】
選択肢として、該コンピュータプログラムは本願の実施例の送信側装置に適用されてもよく、該コンピュータプログラムがコンピュータにおいて実行されるとき、コンピュータが本願の実施例の各方法における送信側装置の実現する対応プロセスを実行する。簡潔のために、ここで詳細な説明は省略する。
【０２１８】
選択肢として、該コンピュータプログラムは本願の実施例の受信側装置に適用されてもよく、該コンピュータプログラムがコンピュータにおいて実行されるとき、コンピュータが本願の実施例の各方法における受信側装置の実現する対応プロセスを実行する。簡潔のために、ここで詳細な説明は省略する。
【０２１９】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０２２０】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０２２１】
本願に係るいくつかの実施例では、理解されるように、開示されるシステム、装置及び方法は他の方式で実現されてもよい。例えば、以上に説明される装置実施例は模式的なものに過ぎず、例えば、前記ユニットの区別は論理機能上の区別に過ぎず、実際に実現するとき、他の区別方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２２２】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０２２３】
また、本願の各実施例では、各機能ユニットは１つの処理ユニットに統合されてもよく、各ユニットは独立して物理的に存在してもよく、２つ以上のユニットは１つのユニットに統合されてもよい。
【０２２４】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０２２５】
以上の説明は本願の具体的な実施形態に過ぎず、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021536190.tif 000004
【図２】
2021536190.tif 000005
【図３】
2021536190.tif 000006
【図４】
2021536190.tif 000007
【図５】
2021536190.tif 000008
【図６】
2021536190.tif 000009
【図７】
2021536190.tif 000010
【図８】
2021536190.tif 000011
【図９】
2021536190.tif 000012
【図１０】
2021536190.tif 000013
【図１１】
2021536190.tif 000014
【図１２】
2021536190.tif 000015
【図１３】
2021536190.tif 000016
【図１４】
2021536190.tif 000017
【図１５】
2021536190.tif 000018
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
同期信号伝送方法であって、
送信側装置が第１周波数領域位置において同期信号ブロックを送信し、前記第１周波数領域位置が同期信号周波数領域候補位置に位置し、２０ＭＨｚ毎のサブバンドに前記同期信号周波数領域候補位置が含まれることを含むことを特徴とする同期信号伝送方法。
【請求項２】
前記第１周波数領域位置は前記同期信号ブロックの中心周波数点位置であることを特徴とする請求項１に記載の方法。
【請求項３】
ｆｃ、ｆ１とｆ２は公式ｆｃ＝ｆ１＋（ｇ＊２０）＋ｆ２を満たし、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示すことを特徴とする請求項２に記載の方法。
【請求項４】
前記ｆ２の値は１８０Ｈｚ、−１８０ｋＨｚ、０Ｈｚ、３６０Ｈｚ、−３６０ｋＨｚ、５２２０ｋＨｚ及び５０４０ｋＨｚのうちの少なくとも１つであることを特徴とする請求項３に記載の方法。
【請求項５】
２０Ｍ帯域幅における同期信号ブロックが占有する周波数帯域幅以外の残りの部分は、連続する６つのＲＢ又は６つのＲＢの整数倍であることを特徴とする請求項１〜４のいずれか一項に記載の方法。
【請求項６】
同期信号伝送方法であって、
受信側装置が第１周波数領域位置において同期信号ブロックをセンシングし、前記第１周波数領域位置が同期信号周波数領域候補位置に位置し、２０ＭＨｚ毎のサブバンドに前記同期信号周波数領域候補位置が含まれることを含むことを特徴とする同期信号伝送方法。
【請求項７】
前記第１周波数領域位置は前記同期信号ブロックの中心周波数点位置であることを特徴とする請求項６に記載の方法。
【請求項８】
ｆｃ、ｆ１とｆ２は公式ｆｃ＝ｆ１＋（ｇ＊２０）＋ｆ２を満たし、
ｆｃが同期信号周波数領域候補位置を示し、
ｆ１がアンライセンス周波数帯の１番目の２０ＭＨｚサブバンドの中心周波数点位置を示し、
ｆ１＋（ｇ＊２０）がアンライセンス周波数帯のｇ＋１番目の２０ＭＨｚサブバンドの中心周波数点位置を示し、ｇが整数であり、
ｆ２が１つの２０ＭＨｚサブバンドにおける同期信号中心周波数点の候補位置のオフセット位置を示すことを特徴とする請求項７に記載の方法。
【請求項９】
前記ｆ２の値は１８０Ｈｚ、−１８０ｋＨｚ、０Ｈｚ、３６０Ｈｚ、−３６０ｋＨｚ、５２２０ｋＨｚ及び５０４０ｋＨｚのうちの少なくとも１つであることを特徴とする請求項８に記載の方法。
【請求項１０】
２０Ｍ帯域幅における同期信号ブロックが占有する周波数帯域幅以外の残りの部分は、連続する６つのＲＢ又は６つのＲＢの整数倍であることを特徴とする請求項６〜９のいずれか一項に記載の方法。
【請求項１１】
送信側装置であって、プロセッサとメモリを備え、該メモリはコンピュータプログラムを記憶することに用いられ、前記プロセッサは前記メモリに記憶されるコンピュータプログラムを呼び出して実行して、請求項１〜５のいずれか１項に記載の方法を実行することに用いられることを特徴とする送信側装置。
【請求項１２】
受信側装置であって、プロセッサとメモリを備え、該メモリはコンピュータプログラムを記憶することに用いられ、前記プロセッサは前記メモリに記憶されるコンピュータプログラムを呼び出して実行して、請求項６〜１０のいずれか１項に記載の方法を実行することに用いられることを特徴とする受信側装置。
【請求項１３】
コンピュータプログラムを記憶することに用いられ、前記コンピュータプログラムによってコンピュータが請求項１〜１０のいずれか１項に記載の方法を実行することを特徴とするコンピュータ可読記憶媒体。
【国際調査報告】
2021536190.tif 000019
2021536190.tif 000020
2021536190.tif 000021
2021536190.tif 000022